(57)【要約】【課題】固定下刃と可動上刃とのクリヤランスを調整作業しなくても、薄肉・広幅なシート材料を確実に安定良く切断する。【解決手段】据付け台枠（２４）の前面には固定下刃（２５）と、同じく上面には上下方向へ円弧運動できる左右一対の円弧運動アーム（３０）とが設置されている。その両運動アームが台枠の前面から張り出す前端部にはフロント連結バー（３３）が固定横架されているほか、同じく前端部付近からは可動上刃（２７）の受け台（２９）が前後方向への揺動自在に吊持されており、しかも上記連結バー（３３）と上刃受け台との下端部付近同士が向かい合う前後相互間には、その可動上刃を固定下刃の存在する後方へ常時押圧付勢する複数の圧縮バネ（３６）が介挿設置されている。その押圧付勢状態の可動上刃は台枠上に並ぶ左右一対の固定受け止めガイド（４０）によって、後方から受け止め規制されている。【選択図】  図９
2010264558.tif 000002
【特許請求の範囲】
【請求項１】
プラスチックフィルムや紙、箔などの薄肉なシート材料（Ｍ）を、その予じめのロール状態から前方（Ｆ）へ一定速度での自動間歇的に送り出し、
その一旦停止するたび毎に可動上刃（２７）を昇降作動させ、固定下刃（２５）との擦れ合い作用により一定長さ（Ｌ）の枚葉状態に切断するシート材料（Ｍ）の切断装置において、
上記固定下刃（２５）を据付け台枠（２４）の前面に取り付け一体化する一方、これと擦れ合い作用する可動上刃（２７）を上刃受け台（２９）の背後面へ固定横架させ、
上記シート材料（Ｍ）の長手方向に沿って平行に延在する左右一対の円弧運動アーム（３０）（３０）の後端部を、上記据付け台枠（２４）の上面へ各々水平な円弧運動支点軸（３１）（３１）を介して枢着することにより、その上下方向へ円弧運動し得る円弧運動アーム（３０）（３０）が上記据付け台枠（２４）の前面から一定長さ分だけ張り出す前端部付近へ、上記上刃受け台（２９）の上端部付近を左右一対の遊転係合子（３７）（３７）とその受け入れ長孔（３９）（３９）との係合により、揺動自由な枢支状態に吊持させると共に，
両円弧運動アーム（３０）（３０）の前端部に固定横架されたフロント連結バー（３３）と、上記上刃受け台（２９）との前後相互間へ、その上刃受け台（２９）の可動上刃（２７）を固定下刃（２５）が存在する後方へ常時押圧付勢する複数の圧縮コイルバネ（３６）を介挿設置し、
しかもその押圧付勢状態の上記可動上刃（２７）を受け止め規制する左右一対の受け止めガイド（４０）（４０）を、上記据付け台枠（２４）から一体的に隆起させたことを特徴とするシート材料の切断装置。
【請求項２】
据付け台枠（２４）から一体的に立設したハンガーフレーム（４２）と、両円弧運動アーム（３０）（３０）のフロント連結バー（３３）との上下相互間へ、可動上刃（２７）の昇降作動用エヤーシリンダー（４３）を枢支連結したことを特徴とする請求項１記載のシート材料の切断装置。
【請求項３】
可動上刃（２７）と固定下刃（２５）との擦れ合い作用部よりも前方に、シート材料（Ｍ）の自動間歇的な送り出し速度よりも高速に回走駆動される無端なベルトコンベヤ（１４）と、そのベルトコンベヤ（１４）の上面にシート材料（Ｍ）を押え付ける押えロール（１８）とを設置し、
その速度差によりシート材料（Ｍ）を緊張させて切断すると共に、その切断後の枚葉状態になったシート材料（Ｍ）を、切断前の連続したシート材料（Ｍ）からすばやく引き離すように定めたことを特徴とする請求項１記載のシート材料の切断装置。
【発明の詳細な説明】
【技術分野】
【０００１】
本発明は各種のプラスチックフィルムや紙、箔、その他の薄肉なシート材料にふさわしく有効な切断装置に関する。
【背景技術】
【０００２】
一定帯幅（例えば約１４５０mm）の薄肉（例えば約０．２mm以下）なシート材料であるプラスチックフィルムを、繰出しロールから一定速度での自動間歇的に繰り出し搬送し、その一旦停止のたび毎に切断する従来の切断装置では、図１１、１２に示す如く、横方向（シート材料の幅方向）へ延在する水平な刃先部を備えた固定下刃（１）が、多数の固定ビス（２）によって下刃受け台（３）へ取り付けられている一方、横下がり傾斜状態の刃先部を有する可動上刃（４）が、上記下刃（１）の固定ビス（２）よりも一層多数の固定ビス（５）によって、上刃受け台（６）へ取り付けられている。
【０００３】
そして、上記可動上刃（４）をその駆動モーター（７）と昇降クランク運動機構（８）により、固定下刃（１）に向かって下降させ、その可動上刃（４）と固定下刃（１）との摺れ合い作用により、上記ロール状態のシート材料（Ｍ）を一定長さの枚葉状態に切断している通例である。
【発明の概要】
【発明が解決しようとする課題】
【０００４】
ところが、上記シート材料（Ｍ）は薄肉であり、しかも広い一定帯幅を有するため、上記可動上刃（４）と固定下刃（１）とのクリヤランスを、その幅方向（横方向）の全体に亘って均一（零）に保つことは非常に難しく、シート材料（Ｍ）の柔軟性とも相俟って、早期に切断できなくなってしまうのである。
【０００５】
そこで、従来では上記可動上刃（４）の幅方向（横方向）に沿って細かく点在分布している多数の固定ビス（５）を、螺進させたり、逆に螺退させたりする操作によって、可動上刃（４）の言わば波打つ如き変形状態を矯正し、固定下刃（１）とのクリヤランスを均一（零）となるように調整しているが、その調整作業上甚だ煩らわしく、又短時間の経過毎に繰り返して行なう必要もあり、このようなことは特にラミネートフィルムや合成紙などのシート材料（Ｍ）において、顕著となる。
【０００６】
可動上刃（４）を受け持っている上刃受け台（６）が、その左右両端部において一対の昇降サイドブロック（９）へ、複数づつの固定ボルト（１０）によって取り付けられており、その組立構造の全体に言わば可撓性（フレキシビリティ）がなく、剛直（リジッド）に強く一体化されているため、却って固定下刃（１）との上記クリヤランス調整が人為的な作業としては困難になったものと考えられる。
【課題を解決するための手段】
【０００７】
本発明はこのような課題の抜本的な解決を目的としており、その目的を達成するために、請求項１ではプラスチックフィルムや紙、箔などの薄肉なシート材料を、その予じめのロール状態から前方へ一定速度での自動間歇的に送り出し、
【０００８】
その一旦停止するたび毎に可動上刃を昇降作動させ、固定下刃との擦れ合い作用により一定長さの枚葉状態に切断するシート材料の切断装置において、
【０００９】
上記固定下刃を据付け台枠の前面に取り付け一体化する一方、これと擦れ合い作用する可動上刃を上刃受け台の背後面へ固定横架させ、
【００１０】
上記シート材料の長手方向に沿って平行に延在する左右一対の円弧運動アームの後端部を、上記据付け台枠の上面へ各々水平な円弧運動支点軸を介して枢着することにより、その上下方向へ円弧運動し得る円弧運動アームが上記据付け台枠の前面から一定長さ分だけ張り出す前端部付近へ、上記上刃受け台の上端部付近を左右一対の遊転係合子とその受け入れ長孔との係合により、揺動自由な枢支状態に吊持させると共に，
【００１１】
両円弧運動アームの前端部に固定横架されたフロント連結バーと、上記上刃受け台との前後相互間へ、その上刃受け台の可動上刃を固定下刃が存在する後方へ常時押圧付勢する複数の圧縮コイルバネを介挿設置し、
【００１２】
しかもその押圧付勢状態の上記可動上刃を受け止め規制する左右一対の受け止めガイドを、上記据付け台枠から一体的に隆起させたことを特徴とする。
【００１３】
又、請求項２では据付け台枠から一体的に立設したハンガーフレームと、両円弧運動アームのフロント連結バーとの上下相互間へ、可動上刃の昇降作動用エヤーシリンダーを枢支連結したことを特徴とする。
【００１４】
更に、請求項３では可動上刃と固定下刃との擦れ合い作用部よりも前方に、シート材料の自動間歇的な送り出し速度よりも高速に回走駆動される無端なベルトコンベヤと、そのベルトコンベヤの上面にシート材料を押え付ける押えロールとを設置し、
【００１５】
その速度差によりシート材料を緊張させて切断すると共に、その切断後の枚葉状態になったシート材料を、切断前の連続したシート材料からすばやく引き離すように定めたことを特徴とする。
【発明の効果】
【００１６】
請求項１の上記構成によれば、可動上刃を受け持っている上刃受け台の上端部付近が、上下方向へ円弧運動（昇降運動）する両円弧運動アームの自由な前端部付近へ、その上刃受け台側の遊転係合子と、円弧運動アーム側の係合子受け入れ長孔との係合を介して、前後方向への揺動自由な枢支状態に吊持されていると共に、同じく上刃受け台の下端部付近とフロント連結バーの対応的な下端部付近との前後相互間には、その幅方向に沿い点在分布する複数の圧縮コイルバネが介挿設置されており、これらによって後方へ弾圧付勢された上刃受け台の可動上刃を、据付け台枠上から一体的に起立する左右一対の受け止めガイドによって、安定良く受け止め規制しているため、可動上刃の刃先部を固定下刃の刃先部に対し、その幅方向への全体に亘って均一に擦れ合い作用させることができ、上記組立構造の融通性や可撓性を発揮し得る結果、冒頭に述べた従来技術の煩らわしいクリヤランス調整作業を繰り返し行なう必要がなく、切断装置としての耐用性、信頼性並びに利便性が向上する。
【００１７】
又、請求項２の構成を採用するならば、可動上刃を昇降運動（上下方向へ円弧運動）させるに当り、図１１、１２の従来例に示すような駆動モーターと、その回転運動を昇降運動に交換するクランク機構が不要となり、これに代るエヤーシリンダーだけの簡素な機構で足りるため、安価に製造できる効果がある。
【００１８】
更に、請求項３の構成を採用するならば、そのシート材料を緊張させた状態で切断することにより、特に薄肉なシート材料でも確実に切断することができ、しかも強制的な引き離しによって、切断後の枚葉状態となったシート材料を円滑に送り出せる効果がある。シート材料の送り出し速度と、そのシート材料の長手方向（前後方向）に沿う押えロールの移動によって、シート材料の切断長さを長く又は短く変更調整できる効果もある。
【図面の簡単な説明】
【００１９】
【図１】本発明に係るシート材料の切断装置を含む自動搬送ラインの全体概略側面図である。
【図２】図１の切断装置を抽出して示す斜面図である。
【図３】図２の平面図である。
【図４】図３の正面図である。
【図５】図２の拡大側面図であって、可動上刃の上昇状態を示している。
【図６】可動上刃の下降状態を示す図５に対応する拡大側面図である。
【図７】図６の７−７線断面図である。
【図８】可動上刃の上昇状態を示す断面図である。
【図９】可動上刃の下降によるシート材料の切断直前状態を示す断面図である。
【図１０】図９に続くシート材料の切断直後状態を示す断面図である。
【図１１】従来の切断装置を示す正面図である。
【図１２】図１１の可動上刃と固定下刃とを抽出して示す側面図である。
【発明を実施するための形態】
【００２０】
以下、図面に基いて本発明の好適な実施形態を詳述すると、図１はプラスチックフィルムや紙、箔、その他の薄肉なシート材料（Ｍ）の自動搬送ラインを示しており、予じめロール状態にある一定帯幅（Ｗ）のシート材料（Ｍ）は、連続送り用ピンチロール（１１ａ）（１１ｂ）により一定速度で前方（Ｆ）へ送り出されるが、その過程において間歇送り用ピンチロール（１２ａ）（１２ｂ）により自動停止され、その一旦停止するたび毎に作動される本発明の切断装置（Ｃ）によって、一定長さ（Ｌ）の枚葉状態に切断されることとなる。
【００２１】
上記連続送り用ピンチロール（１１ａ）（１１ｂ）と間歇送り用ピンチロール（１２ａ）（１２ｂ）は何れもシート材料（Ｍ）を挟持しつつ、前方（Ｆ）へ強制的に送り出す。そのために、下側ピンチロール（１１ｂ）（１２ｂ）が金属製の駆動ロールとして、図外のモーターにより回転駆動される一方、上側ピンチロール（１１ａ）（１２ａ）がゴム製の従動ロールとして、その下側ピンチロール（１１ｂ）（１２ｂ）へ昇降作動用エヤーシリンダー（１１ｃ）（１２ｃ）により、押し下げ圧接されるようになっている。
【００２２】
その場合、下側ピンチロール（１１ｂ）（１２ｂ）における駆動モーターの回転速度（シート材料の送り出し量）を設定する数値によって、シート材料（Ｍ）の一定な切断長さＬ）を長く又は短く変更調整することができる。（１３）は上記間歇送り用ピンチロール（１２ａ）（１２ｂ）と連続送り用ピンチロール（１１ａ）（１１ｂ）との前後相互間に介挿設置されたアキュームレートロールであり、その間歇送りの一旦停止中にシート材料（Ｍ）が弛緩することを防ぐため、自重によって下降する。
【００２３】
（１４）（１５）は切断装置（Ｃ）により切断された枚葉状態のシート材料（Ｍ）を引き続き前方（Ｆ）へ、上記連続送り用ピンチロール（１１ａ）（１１ｂ）や間歇送り用ピンチロール（１２ａ）（１２ｂ）よりも高速に送り出す無端な第１、２ベルトコンベヤであり、そのピンチロール（１１ａ）（１１ｂ）（１２ａ）（１２ｂ）との送り速度差に基いて、切断前の連続したシート材料（Ｍ）を緊張させるほか、その連続したシート材料（Ｍ）から切断後の枚葉状態になったシート材料（Ｍ）を、自づとすばやく引き離すことができるようになっている。図１０の符号（Ｄ）はその引き離し間隔を示している。
【００２４】
又、上記第１、２ベルトコンベヤ（１４）（１５）は共通の駆動モーター（１６）により、同期して循環回走されているが、そのうち切断装置（Ｃ）に接近した位置の第１ベルトコンベヤ（１４）だけは、切断装置（Ｃ）によるシート材料（Ｍ）の切断時に上記間歇送り用ピンチロール（１２ａ）（１２ｂ）と同じく、クラッチブレーキ（１７）を介して一旦停止され、その連続したシート材料（Ｍ）を第１押えロール（１８）によって、第１ベルトコンベヤ（１４）の表面（上面）へ押え付けるようになっている。
【００２５】
つまり、送り出し方向（Ｆ）の前部が第１ベルトコンベヤ（１４）上の第１押えロール（１８）によって、同じく後部が間歇送り用ピンチロール（１２ａ）（１２ｂ）によって、各々挟み付け停止されたシート材料（Ｍ）を、その緊張状態のもとで切断装置（Ｃ）により切断するようになっているのである。その場合、第１押えロール（１８）はシート材料（Ｍ）の切断長さに応じて、そのシート材料（Ｍ）の押え付け位置を長手方向（前後方向）へ移動調整することができる。
【００２６】
更に、（１９）は第１、２ベルトコンベヤ（１４）（１５）の隣り合う境界部をなす不良品排除口の開閉ゲートであり、シート材料（Ｍ）の耳部にマーキングされている必要な個数の被検知部を、図外のセンサーにより検知して、その検知出力信号により上記開閉ゲート（１９）を開放して、不良品のシート材料（Ｍ）を下方へ排除できるようになっている。（２０）は上記第１ベルトコンベヤ（１４）に対するシート材料（Ｍ）の第２押えロール、（２１）（２２）は第２ベルトコンベヤ（１５）に対するシート材料（Ｍ）の第１、２押えロールであり、上記第１、２ベルトコンベヤ（１４）（１５）によって前方（Ｆ）へ送り出されたシート材料（Ｍ）は、集積部のリフトテーブル（２３）上ヘ整然と積載されることになる。
【００２７】
本発明の切断装置（Ｃ）は図２〜１０に抽出拡大して示す如く、上記間歇送り用ピンチロール（１２ａ）（１２ｂ）と言わば一緒に据付け台枠（２４）へ組み立てられており、シート材料（Ｍ）の自動間歇送りが停止するたび毎に、そのシート材料（Ｍ）を一定長さ（Ｌ）づつ切断すべく作動されるようになっている。
【００２８】
即ち、その切断装置（Ｃ）の明らかな図２〜１０において、（２５）はシート材料（Ｍ）の幅方向（横方向）に沿って延在する水平な刃先部（２５ｅ）を備えた固定下刃であり、据付け台枠（２４）の前面へ複数の固定ビス（２６）などによって取り付けられている。
【００２９】
他方、（２７）は横下がり傾斜状態の刃先部（２７ｅ）を有する可動上刃であって、複数の固定ビス（２８）によって上刃受け台（２９）の背後面へ取り付けられており、その可動上刃（２７）の刃先部（２７ｅ）と上記固定下刃（２５）の刃先部（２５ｅ）とが摺れ合う作用によって、上記シート材料（Ｍ）を左右何れか一方の横端側から他方の横端側へ、あたかも鋏と同様に切断進行するようになっている。
【００３０】
その場合、可動上刃（２７）の刃先部（２７ｅ）は上刃受け台（２９）の下端部よりも、下向きの張り出し状態にあって、その上刃受け台（２９）よりも早くシート材料（Ｍ）へ接当し得るようになっていることは、言うまでもない。
【００３１】
（３０）（３０）は上記シート材料（Ｍ）の長手方向（前後方向）に沿って延在する左右一対の平行な円弧運動アームであり、その各後端部が水平な円弧運動支点軸（３１）（３１）を介して、上記据付け台枠（２４）から一体的に隆起する左右一対の支持ステー（３２）（３２）へ枢着されている。その両円弧運動アーム（３０）（３０）における上記据付け台枠（２４）の前面から一定長さ分だけ張り出す自由な前端部が、上記円弧運動支点軸（３１）（３１）の廻りに上下方向へ円弧運動（非直線的に昇降運動）し得るようになっているのである。
【００３２】
しかも、このような両円弧運動アーム（３０）（３０）の前端部同士は、水平なフロント連結バー（３３）を介して連結一体化されている。（３４）（３４）はそのための固定ビスであり、両円弧運動アーム（３０）（３０）の前端部からフロント連結バー（３３）の左右両端部へ、各々螺入締結されている。（３５）はそのフロント連結バー（３３）の背後面に好ましくは均一な左右相互間隔ピッチを保って点在分布された複数のバネ受け凹溝であり、その一定深さの各バネ受け凹溝（３５）へ差し込みセットされた圧縮コイルバネ（３６）が、上記上刃受け台（２９）の対応位置を後方へ常時押圧付勢して、その可動上刃（２７）を固定下刃（２５）と摺れ合うように維持している。
【００３３】
可動上刃（２７）を上刃受け台（２９）に取り付け固定していることは上記したが、その上刃受け台（２９）は両円弧運動アーム（３０）（３０）の前端部付近へ、上記フロント連結バー（３３）と平行な横架状態に吊持されており、しかも独自の揺動できる枢支状態に保たれている。
【００３４】
即ち、上記可動上刃（２７）が下向きの張り出し状態に取り付け固定されている上刃受け台（２９）の左右両端部には、円形のローラーやベアリングなどから成る遊転係合子（３７）（３７）の一対が、水平な揺動支点ボルト（３８）（３８）などを介して各々軸支されている一方、その各遊転係合子（３７）（３７）の受け入れ長孔（３９）（３９）が上記円弧運動アーム（３０）（３０）の長手方向（前後方向）に沿い延在する楕円形として、その円弧運動アーム（３０）（３０）の前端部付近に切り欠かれている。
【００３５】
そして、このような上刃受け台（２９）の下端部付近が上記フロント連結バー（３３）との向かい合う前後相互間に介在する圧縮コイルバネ（３６）の複数により、後方へ常時押圧付勢されている。しかも、その後方への押圧付勢状態にある上刃受け台（２９）の全体は、上記据付け台枠（２４）の上面などから一体的に隆起する左右一対の受け止めガイド（４０）（４０）によって、確実に安定良く受け止め規制されており、その上刃受け台（２９）の可動上刃（２７）を固定下刃（２５）と正しく擦れ合い作用する垂直の姿勢状態に保っている。（４１）（４１）は上記据付け台枠（２４）に対する可動上刃用受け止めガイド（４０）（４０）の固定ビスである。
【００３６】
つまり、上記円弧運動アーム（３０）（３０）はその後端部の円弧運動支点軸（３１）（３１）を中心として、上下方向へ円弧運動（昇降運動）することになるが、可動上刃（２７）の上刃受け台（２９）はその上端部付近において、左右一対の遊転係合子（３７）（３７）により上記円弧運動アーム（３０）（３０）の係合子受け入れ長孔（３９）（３９）と係合しており、その揺動支点ボルト（３８）（３８）の廻りに前後方向へ揺動できる吊り下げ状態にある。
【００３７】
他方、同じく上刃受け台（２９）の下端部付近は複数の点在分布する圧縮コイルバネ（３６）によって、可動上刃用受け止めガイド（４０）（４０）へ常時押圧付勢されているため、その上刃受け台（２９）の可動上刃（２７）を必らず垂直の吊持姿勢として、固定下刃（２５）と全体的な均一に擦れ合い作用させることができ、その可動上刃（２７）と固定下刃（２５）とのクリヤランスを人為的に調整作業する必要はないのである。
【００３８】
更に、（４２）は上記可動上刃（２７）の昇降作動用エヤーシリンダー（４３）を吊持するハンガーフレームであって、据付け台枠（２４）から一体的に立設された左右一対の支持マスト（４４）（４４）と、その上端部同士の左右相互間へ平面視の門字形に固定横架された前枠（４５）とから成り、その前枠（４５）の中央部から吊り下がるエヤーシリンダー（４３）の進退（昇降）ロッド（４６）が、上記円弧運動アーム（３０）（３０）におけるフロント連結バー（３３）の対応的な中央部へ、連結ステー（４７）を介して枢支連結されている。（４８）はハンガーフレーム（４２）の前枠（４５）に対するエヤーシリンダー（４３）の枢支連結棒、（４９）は連結ステー（４７）に対する昇降ロッド（４６）の枢支連結ピンである。
【００３９】
本発明の切断装置（Ｃ）は上記した構成を備えており、その使用に当っては予じめロール状態にある一定帯幅（Ｗ）の薄肉なシート材料（Ｍ）を、図１のような自動搬送ライン上の連続送り用ピンチロール（１１ａ）（１１ｂ）並びに間歇送り用ピンチロール（１２ａ）（１２ｂ）によって、一定速度で前方（Ｆ）へ強制的に送り出す。
【００４０】
そうすれば、その連続したシート材料（Ｍ）がやがて図８のように、上記ピンチロール（１１ａ）（１１ｂ）（１２ａ）（１２ｂ）よりも高速に回走している第１ベルトコンベヤ（１４）上まで前進するため、その所定の切断長さ（Ｌ）を確保できた時点において、上記間歇送り用ピンチロール（１２ａ）（１２ｂ）と第１ベルトコンベヤ（１４）を一旦停止させ、そのシート材料（Ｍ）の前部を第１押えロール（１８）により押え付けると同時に、シート材料（Ｍ）の後部を間歇送り用ピンチロール（１２ａ）（１２ｂ）により挟み付けて、そのシート材料（Ｍ）を図９のような緊張状態に保った上、上記一旦停止と連動するエヤーシリンダー（４３）により、切断装置（Ｃ）の可動上刃（２７）を図９、１０のように昇降作動させ、固定下刃（２５）との擦れ合い作用によって、一定長さ（Ｌ）の枚葉状態に切断するのである。
【００４１】
その切断後の枚葉状態になったシート材料（Ｍ）が、連続送り用ピンチロール（１１ａ）（１１ｂ）や間歇送り用ピンチロール（１２ａ）（１２ｂ）よりも高速に回走している第１ベルトコンベヤ（１４）により、切断前の連続したシート材料（Ｍ）から一定間隔（Ｄ）だけすばやく引き離され、その後第２ベルトコンベヤ（１５）により集積部のリフトテーブル（２３）上まで送り出されることは、既述のとおりであり、引き続き同じ切断作用が自動間歇的に繰り返されることとなる。
【００４２】
その場合、図８、１０の符号（Ｈ）に示す如く、第１、２ベルトコンベヤ（１４）（１５）の表面（上面）は上記据付け台枠（２４）に取り付け一体化されている固定下刃（２５）の刃先部（２５ｅ）よりも、一定の段差分だけ低い位置にあり、切断後の枚葉状態になったシート材料（Ｍ）が第１ベルトコンベヤ（１４）上へ落下するため、このことも切断後のシート材料（Ｍ）を切断前の連続したシート材料（Ｍ）から分離させることに役立つ。
【００４３】
上記切断装置（Ｃ）の固定下刃（２５）は据付け台枠（２４）の前面へ、その刃先部（２５ｅ）の水平状態として取り付け一体化されているに比し、可動上刃（２７）は図４のように上刃受け台（２９）の背後面へ、その刃先部（２７ｅ）の横下がり傾斜状態に固定横架されている。
【００４４】
しかも、後端部の円弧運動支点軸（３１）（３１）を中心として上下方向へ円弧運動（昇降運動）する左右一対の円弧運動アーム（３０）（３０）が、据付け台枠（２４）の固定下刃（２５）から前方へ張り出す前端部付近には、上記上刃受け台（２９）の上端部付近が左右一対の遊転係合子（３７）（３７）とその係合子受け入れ長孔（３９）（３９）との係合を介して、前後方向への揺動自由な枢支状態に吊持されている。
【００４５】
他方、両円弧運動アーム（３０）（３０）の前端部に固定横架されたフロント連結バー（３３）の下端部付近と、上記上刃受け台（２９）の対応的な下端部付近との向かい合う前後相互間には、複数の圧縮コイルバネ（３６）が介挿設置されており、これらによって固定下刃（２５）が存在する後方へ常時押圧付勢された上刃受け台（２９）の可動上刃（２７）を、左右一対の受け止めガイド（４０）（４０）によって後方から受け止め規制し、その可動上刃（２７）の刃先部（２７ｅ）を固定下刃（２５）の刃先部（２５ｅ）と全体的に正しく擦れ合い作用させるようになっている。
【００４６】
つまり、可動上刃（２７）を受け持つ上刃受け台（２９）の上端部付近は、円形のローラーやベアリングなどの遊転係合子（３７）（３７）とその円弧運動アーム（３０）（３０）の係合子受け入れ長孔（３９）（３９）との係合を介して、前後方向への揺動自在に吊持されていると共に、同じく上刃受け台（２９）の下端部付近は幅方向（横方向）に沿ってほぼ均一に分布する複数の圧縮コイルバネ（３６）を介して、その可動上刃（２７）が常時据付け台枠（２４）の固定下刃（２５）へ弾圧付勢されているため、冒頭に述べた人為的な調整作業を繰り返し行なわなくても、上記切断装置（Ｃ）における可動上刃（２７）と固定下刃（２５）とのクリヤランスを、幅方向（横方向）の全体に亘って自づと均一（零）に保つことができ、このことはシート材料（Ｍ）の厚みに変化が起っても、そのクリヤランス調整作業を一切行なう必要がない。それでも、シート材料（Ｍ）を確実に安定良く切断できるわけであり、その結果特に積層形態をなすラミネートフィルムや合成紙、その他の薄肉なシート材料（Ｍ）にとって、著しく有益な切断装置（Ｃ）であると言える。
【符号の説明】
【００４７】
（１１ａ）（１１ｂ）・連続送り用ピンチロール
（１２ａ）（１２ｂ）・間歇送り用ピンチロール
（１１ｃ）（１２ｃ）・エヤーシリンダー
（１３）・アキュームレートロール
（１４）・第１ベルトコンベヤ
（１５）・第２ベルトコンベヤ
（１６）・ベルト回走駆動モーター
（１７）・クラッチブレーキ
（１８）・第１押えロール
（１９）・開閉ゲート
（２０）・第２押えロール
（２１）・第１押えロール
（２２）・第２押えロール
（２３）・リフトテーブル
（２４）・据付け台枠
（２５）・固定下刃
（２５ｅ）・刃先部
（２６）・固定ビス
（２７）・可動上刃
（２７ｅ）・刃先部
（２８）・固定ビス
（２９）・上刃受け台
（３０）・円弧運動アーム
（３１）・円弧運動支点軸
（３２）・支持ステー
（３３）・フロント連結バー
（３４）・固定ビス
（３５）・バネ受け凹溝
（３６）・圧縮コイルバネ
（３７）・遊転係合子
（３８）・揺動支点ボルト
（３９）・係合子受け入れ長孔
（４０）・受け止めガイド
（４１）・固定ビス
（４２）・ハンガーフレーム
（４３）・可動上刃昇降作動用エヤーシリンダー
（４６）・昇降ロッド
（４７）・連結ステー
（４８）・枢支連結棒
（４９）・枢支連結ピン
（Ｃ）・切断装置
（Ｄ）・引き離し間隔
（Ｍ）・シート材料
（Ｆ）・送り出し方向
（Ｌ）・切断長さ
（Ｗ）・帯幅
【図１】
2010264558.tif 000003
【図２】
2010264558.tif 000004
【図３】
2010264558.tif 000005
【図４】
2010264558.tif 000006
【図５】
2010264558.tif 000007
【図６】
2010264558.tif 000008
【図７】
2010264558.tif 000009
【図８】
2010264558.tif 000010
【図９】
2010264558.tif 000011
【図１０】
2010264558.tif 000012
【図１１】
2010264558.tif 000013
【図１２】
2010264558.tif 000014